(57)【要約】【課題】ベルトの上端を連結する連結用アームを可動自在とした取付環において、髪の毛が挟まることを有効に防止可能とすること。【解決手段】取付ベース（３）と正面側ベース（４）を備える中空の取付環本体（２）と、取付ベース（３）に回動自在に連結された一対の連結用アーム（５）と、連結用アーム（５）の先端部を互いに近接する方向に付勢したスプリング（７）と、取付環本体（２）に上下方向に移動自在に係止された掛止部（６）を有し、連結用アーム（５）を貫通可能にするとともに連結用アーム（５）の可動を許容する長さ寸法を有した一対の第１のスリット（８０１）と係止部（７）を貫通可能とした第２のスリット（８０２）を有したカバー体（８）を、一対の連結用アーム（５）及び掛止部（６）がそれぞれ一対の第１のスリット（８０１）及び第２のスリット（８０２）を貫通する配置で取付環本体（２）に装着した。【選択図】図１
2005323777.tif 000002
【特許請求の範囲】
【請求項１】
鞄本体に取り付けられる取付ベース（３）と、該取付ベース（３）の正面側を覆う正面側ベース（４）と、を備える中空の取付環本体（２）と、
前記取付ベース（３）に回動自在に連結されるとともに、上方部分を、前記正面側ベース（４）に形成した貫通孔（４０１）を貫通させつつ取付環本体（２）の上方に延出させた、その先端部に連結環（５０１）が備えられた一対の連結用アーム（５）と、
前記取付環本体（２）内に収容された、前記連結用アーム（５）の先端部を互いに近接する方向に付勢したスプリング（７）と、
下方部分が前記取付環本体（２）内に挿入されつつ、上下方向に移動自在に前記取付環本体（２）に係止された、先端部に掛止環（６０２）を有した掛止部（６）と、を有する背負い鞄の肩ベルト上端取付環（１）において、
前記連結用アーム（５）が貫通可能であるとともに連結用アーム（５）の可動を許容する長さ寸法を有した、通常は閉じた状態にした一対の第１のスリット（８０１）と、前記係止部（７）が貫通可能であるとともに、通常は閉じた状態にした第２のスリット（８０２）とを有したカバー体（８）を、前記一対の連結用アーム（５）及び掛止部（６）がそれぞれ一対の第１のスリット（８０１）及び第２のスリット（８０２）を貫通する配置において、前記取付環本体（２）の表面側又は内面側に装着したことを特徴とする背負い鞄の肩ベルト上端取付環。
【請求項２】
前記カバー体（８）をシリコンにより形成したことを特徴とする請求項１に記載の背負い鞄の肩ベルト上端取付環。
【発明の詳細な説明】
【技術分野】
【０００１】
本発明は、背負い鞄の肩ベルト上端取付環に係り、より詳しくは、取付環に髪の毛が挟まることを防止可能とした背負い鞄の肩ベルト上端取付環に関する。
【背景技術】
【０００２】
一般的に、スクールバッグに代表される背負い鞄では、背負いベルトの上端を鞄本体に連結するために取付環を用いているが、このとき、近年になり、鞄を背負い易くするために、及び、鞄を降ろす際の動作を容易にするために、ベルトと上端を連結する部分を可動自在にしているものが提供されている。
【０００３】
即ち、図５は、このような取付環を説明するための図であり、この従来の取付環では、背負い鞄に取り付けられる取付ベース３２と、このベースの正面側を覆う正面側ベース（図示せず）を備えており、この取付ベース３２には、ベルトの上端部を連結するための環体３４を上端に備えた一対の連結用アーム３３が、正面側ベースに形成した貫通孔をその上方部により貫通した状態で回動自在に連結されている。更に、前記取付ベース３２にはスプリング３５を備え、このスプリング３５により、前記一対の連結用アーム３３を、その環体３４が互いに近接する方向に付勢し、この構成により、前記一対の連結用アーム３３を互いに離反する方向へ移動自在にするとともに離反する方向へ移動した連結用アーム３３を元の位置へ戻すことを可能としている（図５におけるＣ−Ｃ方向）としている。
【０００４】
従って、このような取付環では、背負い鞄を背負う際にベルトの幅を広げることが可能となり、これにより、背負い鞄を背負い易くしている。
【特許文献１】特開平８−５６７２９号公報
【特許文献２】特開２００２−４５２２５号公報
【発明の開示】
【発明が解決しようとする課題】
【０００５】
ところで、前述した従来の取付環では、特に鞄を背負う際、又は降ろす際に連結用アームが左右方向に移動し、この左右方向に移動した連結用アームは、背負い動作等が完了した後に下の位置に戻るが、このとき、鞄を背負う者の髪の毛が連結用アームと正面側ベースに形成した貫通孔との間に挟まってしまうことが往々にしてあった。
【０００６】
そして、これにより、背負い鞄を使用する者に不快感を与えてしまうとともに、挟まった髪の毛等が原因となり連結用アームの可動に支障が生ずる問題点も考えられた。
【０００７】
そこで、本発明は、このような、ベルトの上端を連結する連結用アームを可動自在とした取付環において、髪の毛が挟まることを有効に防止可能とすることを課題としている。
【課題を解決するための手段】
【０００８】
本発明の背負い鞄の肩ベルト上端取付環は、鞄本体に取り付けられる取付ベースと、該取付ベースの正面側を覆う正面側ベースとを備える中空の取付環本体と、前記取付ベースに回動自在に連結されるとともに、上方部分を、前記正面側ベースに形成した貫通孔を貫通させつつ取付環本体の上方に延出させた、その先端部に連結環が備えられた一対の連結用アームと、前記取付環本体内に収容された、前記連結用アームの先端部を互いに近接する方向に付勢したスプリングと、下方部分が前記取付環本体内に挿入されつつ、上下方向に移動自在に前記取付環本体に係止された、先端部に掛止環を有した掛止部と、を有する背負い鞄の肩ベルト上端取付環において、
前記連結用アームが貫通可能であるとともに連結用アーム  の可動を許容する長さ寸法を有した、通常は閉じた状態にした一対の第１のスリットと、前記係止部が貫通可能であるとともに、通常は閉じた状態にした第２のスリットとを有したカバー体を、前記一対の連結用アーム及び掛止部がそれぞれ一対の第１のスリット及び第２のスリットを貫通する配置において、前記取付環本体の表面側又は内面側に装着したことを特徴としている。
【発明の効果】
【０００９】
本発明の背負い鞄の肩ベルト上端取付環では、連結用アームが貫通可能であるとともに連結用アームの可動を許容する長さ寸法を有した一対の第１のスリットと、係止部が貫通可能である第２のスリットとを有したカバー体を、前記一対の連結用アーム及び掛止部がそれぞれ一対の第１のスリット及び第２のスリットを貫通する配置において取付環本体の表面側又は内面側に装着するとともに、前記スリットはそれぞれ、通常は閉じた状態としている。
【００１０】
そのため、連結用アームが貫通している箇所以外においては、このカバー体により、正面側ベースに形成した貫通孔を閉鎖することができ、これにより、連結用アームが移動した際でも連結用アームと正面側ベースに形成した貫通孔との間に髪の毛が挟まってしまうことを有効に防止することが可能である。
【発明を実施するための最良の形態】
【００１１】
本発明の背負い鞄の肩ベルト上端取付環では、鞄本体に取り付けられる取付ベースを備え、この取付ベースの正面側は正面側ベースにより覆われており、この取付ベースと正面側ベースにより、中空の取付環本体が構成されている。
【００１２】
そして、取付ベースには一対の連結用アームが回動自在に連結されており、この一対の連結用アームはそれぞれ、前記正面側ベースに形成した貫通孔を貫通しつつ、上方部分が取付環本体の上方に延出し、その先端部には連結環が備えられている。
【００１３】
また、取付環本体内にはスプリングが装着されており、このスプリングは、前記連結用アームの先端部を互いに近接する方向に付勢している。
【００１４】
更に、取付環本体には掛止部が係止されており、この掛止部は、その下方部分が前記取付環本体内に挿入されつつ、上下方向に移動自在とされ、先端部には掛止環が備えられている。
【００１５】
そして、前記取付環本体の表面側又は裏面側には、前記一対の連結用アームがそれぞれ貫通可能な連結用アームの可動を許容する長さ寸法を有するとともに通常は閉じた状態にした一対の第１のスリットと、前記係止部が貫通可能であるとともに通常は閉じた状態にした第２のスリットと、を有したカバー体が、前記一対の連結用アーム及び掛止部がそれぞれ一対の第１のスリット及び第２のスリットを貫通する配置において装着されている。
【００１６】
ここで、前記カバー体をシリコン等の樹脂により形成するとよく、これにより、通常は閉じた状態のスリットを有効に形成することが可能である。
【実施例１】
【００１７】
本実施例の背負い鞄の肩ベルト上端取付環（以下単に「取付環」という。）の実施例について説明すると、図１は本実施例の取付環を示す斜視図であり、図において１が本実施例の取付環である。
【００１８】
そして、本実施例の取付環１は、背負い鞄の本体に取り付けられる取付ベース３を備えており、本実施例においてこの取付ベース３は、略楕円形状とした金属製プレートとしており、両端部近傍にビス孔３０１を備え、背負い鞄の背面側上端部近傍にビス等により取り付けられる。
【００１９】
また、前記取付ベース３の正面側（反鞄側）には、わずかに正面側に向けて湾曲させてふくらみを持たせた正面側ベース４が、凸面を外側にして装着されており、例えば、正面側ベース４の周縁部を前記取付ベース３にかしめることにより、取付ベース３に正面側ベース４を装着しており、この取付ベース３と正面側ベース４により、図２に示される、中空の取付環本体２が形成されている。
【００２０】
ここで、図４は、前記正面側ベース４を外した状態における取付環１の正面図
であり、図４において、前記取付ベース３には、軸３０２により、一対の連結用アーム５が回動自在に連結されている。そして、この一対の連結用アーム５はそれぞれ、前記正面側ベース４に形成したアーム貫通孔４０１（図２参照）を貫通しつつ、取付環本体２の上方に延出されており、その上端には、ベルトを取り付けるための連結環５０１が形成されている。
【００２１】
また、前記正面側ベース４に形成したアーム貫通孔４０１は、前記連結用アーム５の幅寸法よりも長めの寸法にしており、これにより、連結用アーム５の左右方向への移動（図４におけるＢ−Ｂ方向）を所定距離分だけ許容している。
【００２２】
次に、前記取付ベース３にはスプリング７が収容されており、このスプリング７は、力を加えることにより互いに離反する方向へ移動可能な一対の制御用アーム部７０１を有するとともに、この一対の制御用アーム７０１はそれぞれ、前記連結用アーム５に軸支されている。そしてこの構成により、前記連結用アーム５に左右方向への圧力を加えることにより連結用アーム５を左右方向へ開き、この状態で前記圧力を解除した際に、連結用アーム５を初期の状態に戻すことを可能としている。
【００２３】
次に、本実施例の取付環１は掛止部６を備えており、掛止部６は、長孔６０３が形成された基端部６０１とこの基端部６０１に連設した掛止環６０２を備えており、前記取付ベース３を貫通したビス３０３が前記長孔６０３を貫通する配置で、及び、正面側カバー４における前記アーム貫通孔４０１間に形成した掛止部貫通孔４０２（図２参照）を基端部６０１が貫通する配置で、取付ベース３に上下動自在に掛止されている。
【００２４】
次に、図１において８はカバー体であり、即ち、本実施例の取付環１では、前記取付環本体１の上方部分を覆うような配置でカバー体８が装着されている。
【００２５】
ここで、前記カバー体８について説明すると、図３は前記カバー体８を展開した状態を示す図であり、本実施例において前記カバー体８は、シリコン等の樹脂により形成しており、中心線Ａ−Ａを境にして対称形状としている。そして、中心線Ａ−Ａを境にして折りたたみ、その状態で前記取付環本体２の上方部分を覆うことを可能としている。
【００２６】
また、取付環本体２の上方部分を覆った状態において、正面側カバー４に形成した一対のアーム貫通孔４０１に対応する箇所には第１のスリット８０１を形成しており、および、掛止部貫通孔４０２に対応する箇所には第２のスリット８０２を形成している。そして、前記第１のスリット８０１及び第２のスリット８０２はそれぞれ、連結用アーム５及び掛止部６における基端部６０１が貫通可能であるとともに、貫通していない箇所においては、シリコンゴム等の弾性力とも相まって閉じた状態になる程度の厚み寸法としている。
【００２７】
従って、連結用アーム５が左右方向に移動し、あるいは左右方向に広がっている連結用アームが初期の状態に移動する際においては、連結用アーム５が貫通している箇所以外の箇所ではスリット８０１の部分は閉じており、これにより正面側ベース４に形成したアーム貫通孔４０１が露出することを防止可能である。
【００２８】
そのため、本実施例の取付環１においては、連結用アーム５が移動した場合でもあっても、連結用アーム５とアーム貫通孔４０１との間に髪の毛が挟まることを有効に防止することができる。
【００２９】
なお、本実施例におけるカバー体８では、取付環本体２の上方部分を覆った状態において正面側カバー４に形成したビス孔４０３に対応した箇所にビス貫通孔８０３を形成しており、これにより、取付環本体２の上方部分を覆った状態で、取付環本体２と一体にして背負い鞄に取り付けることを可能にしている。
【００３０】
次に、このように構成される本実施例の取付環１の作用について説明すると、本実施例の取付環１は、主にランドセル等のスクールバッグにおいて、ランドセル本体と肩ベルトとの上端を連結するために用いられ、スプリング７で連通した一対の連結用アーム５と、掛止部６とを取付ベース３に取り付けた状態で正面側カバー４を取付ベース３に装着し、更にこの状態にした取付環本体２の上方をカバー体８で覆った状態で、ランドセル等の背面側上端部近傍に取り付けられ、更に、その状態において、連結用アーム５の上端に形成した連結環５０１に肩ベルトの上端が連結される。
【００３１】
そして、この状態において、肩ベルトの広がりに対応して連結用アーム５に左右方向への圧力が加わると、この連結用アーム５はそれぞれ、スプリング７の付勢力に対向しながら左右方向へ広がり、加わっていた圧力が解除されると、スプリング７の付勢力によって初期の状態に戻る。
【００３２】
そしてこのとき、本実施例の取付環１では、取付環本体２の上方部分にカバー体８を装着するとともに、このカバー体８には、連結用アーム５及び掛止部６が貫通可能であるとともに、通常は閉じた状態としたスリット８０１を形成しているために、連結用アーム５を移動させた場合でも、正面側ベース４に形成したアーム貫通孔４０１が露出することがなく、連結用アーム５とアーム貫通孔４０１との間に髪の毛が挟まることが無い。
【００３３】
なお、前述した実施例では、取付環本体の表面側にカバー体８を装着した場合について説明したが、このカバー体８は取付環本体２の裏面側に装着よく、また、少なくとも、正面側カバーにおけるアーム貫通孔及び掛止部貫通孔を覆うことができる形状寸法とすればよい。
【産業上の利用可能性】
【００３４】
本発明の背負い鞄における肩ベルト上端連結環は、連結用アームが貫通可能であるとともに通常は閉じた状態のスリットを有するカバー体を用いて、連結用アームと正面側ベースとの間に髪の毛が挟まることを防止可能としているために、連結用アームを有した取付環全般に適用可能である。
【図面の簡単な説明】
【００３５】
【図１】本発明の取付環の実施例の斜視図である。
【図２】本発明の取付環の実施例における取付環本体を示す視図である。
【図３】本発明の取付環の実施例に用いるカバー体の展開図である。
【図４】本発明の取付環の実施例の構造を説明するための図である。
【図５】従来の取付環を説明するための図である。
【符号の説明】
【００３６】
１    取付環
２    取付環本体
３    取付ベース
４    正面側ベース
４０１    アーム貫通孔
４０２    掛止部貫通孔
４０３、４０４    ビス孔
５    連結用アーム
５０１    連結環
６    掛止部
６０１    基端部
６０２    掛止環
６０３    長孔
７    スプリング
７０１    制御用アーム
８    カバー体
８０１    スリット
８０２    ビス貫通孔
【図１】
2005323777.tif 000003
【図２】
2005323777.tif 000004
【図３】
2005323777.tif 000005
【図４】
2005323777.tif 000006
【図５】
2005323777.tif 000007